(57)【要約】【課題】送受信が同時に行える通信装置において、受信時のアンテナダイバーシティ制御によりアンテナが切り替わっても送信波の出力レベルが変動しないようにする。【解決手段】送信部１３１に送信波調整部１３１ａを備え、デジタル処理部１４に制御信号調整部１４ａを備える。アンテナダイバーシティ制御に基づいて受信用のアンテナが切り替わる際に送信帯域通過フィルタ１２１で通過ロスが生じて送信波Ｃが劣化するが、制御信号調整部１４ａは送信出力制御信号Ｂの波形を変形し、送信波調整部１３１ａは当該変形後の送信出力制御信号Ｂに基いて当該アンテナの切替時に生じる送信波Ｃの劣化分を補填できるように上記変形された送信出力制御信号Ｂに基づいて当該劣化分を送信波Ｃに予め加えておく。【選択図】　　　　　図１
2004040553.tif 000002
【特許請求の範囲】
【請求項１】
通信用のアンテナを複数備え、受信時には受信感度に応じてアンテナの切り替えが可能であると共に送信波の送信が同時に行える通信装置において、
送信波の出力レベルを調整するための調整データを生成する調整データ生成部と、
前記送信波の出力レベルを前記調整データ生成部により生成された調整データに基いて調整するレベル調整部とを備え、
前記調整データ生成部は、
前記レベル調整部により調整される送信波の出力レベルの変化分が前記アンテナの切り替えによって生じる送信波の出力レベルの変化分を補填するような調整データを生成することを特徴とする通信装置。
【請求項２】
入力されたデータのうちで送信波に変調するデータ範囲を指定するためのデータ範囲指定信号を生成する信号生成部を備え、
前記調整データ生成部は、
前記データ範囲指定信号の出力レベルを所定分だけ変化させて前記調整データとし、
前記レベル調整部は、
送信波の出力レベルを、前記調整データ生成部により前記調整データとして生成された前記データ範囲指定信号の出力レベルの前記所定変化分に応じて調整することを特徴とする請求項１に記載の通信装置。
【請求項３】
前記レベル調整部は、前記データ範囲指定信号の出力レベルの変化分に応じて送信波の出力レベルを増幅する増幅器、又は前記データ範囲指定信号の出力レベルの変化分に応じて送信波の出力レベルを減衰する減衰器によって構成されることを特徴とする請求項１又は２に記載の通信装置。
【請求項４】
通信用のアンテナを複数備え、受信時には受信感度に応じてアンテナの切り替えが可能であると共に送信波の送信が同時に行える通信装置において、
入力された送信データの出力レベルを調整するレベル調整部を備え、
前記レベル調整部は、
前記送信波の出力レベルが前記アンテナの切り替えによって生じる送信波の出力レベルの変化分を補填するよう前記送信データの出力レベルを調整することを特徴とする通信装置。
【請求項５】
通信用のアンテナを複数備え、受信時には受信感度に応じてアンテナの切り替えが可能であると共に送信波の送信が同時に行える通信装置において、
送信波の出力レベルを調整するための調整データを生成する調整データ生成部と、
前記送信波の出力レベルを前記調整データ生成部により生成された調整データに基いて調整する第１のレベル調整部と、
入力された送信データの出力レベルを調整する第２のレベル調整部とを備え、
前記調整データ生成部は、
前記第１のレベル調整部により調整された送信波の出力レベルが前記アンテナの切り替えによって生じる送信波の出力レベルの変化分を補填する調整データを生成し、
前記第２のレベル調整部は、
前記送信波の出力レベルが前記アンテナの切り替えによって生じる送信波の出力レベルの変化分を補填するよう前記送信データの出力レベルを調整することを特徴とする通信装置。
【発明の詳細な説明】
【０００１】
【発明の属する技術分野】
本発明は通信装置に関する。
【０００２】
【従来の技術】
近年、複数の通信方式に基づいてデータの送受信が行える携帯電話等の通信装置が実現されている。特に最近、低速データ伝送に用いられるＴＤＭＡ（Ｔｉｍｅ　Ｄｉｖｉｓｉｏｎ　Ｍｕｌｔｉｐｌｅ　Ａｃｃｅｓｓ）シングルモード方式と高速データ伝送に用いられるＦＤＰ（フルデュープレックス；全二重伝送）方式とによる二つの通信方式に対応可能な通信装置が開発されつつある。このＦＤＰ方式では信号の送受信が高速且つ同時に行える。
【０００３】
また上記通信装置においては、良質な受信信号を得るためＴＤＭＡ方式及びＦＤＰ方式の各通信方式に対応したアンテナダイバーシティ制御が行われる。
【０００４】
【発明が解決しようとする課題】
しかし、上記従来の通信装置には、以下に示す問題点がある。
上記従来の通信装置では、受信時にＦＤＰ方式に基づいて送信する際にアンテナダイバーシティ制御によってアンテナが切り替わると当該送信波の出力レベルが変動し（以下、出力レベルが変動することを劣化するという）、変調精度が悪化する恐れがある。
【０００５】
以下、図７に示す上記従来の通信装置としての通信装置３００のブロック図と、図８に示すアンテナダイバーシティ制御が行われた際の通信装置３００における各種信号波の波形（すなわち、信号波の出力レベルの変化）を示す波形図とを参照して、上記問題点について具体的に説明する。図８には、通信装置３００においてアンテナダイバーシティ制御によりアンテナが切り替わる際に送信波が劣化する様子が示されている。
なお、送信部３３１及びデジタル処理部３４を除く通信装置３００の他の構成は、後に詳述する本実施の形態の通信装置１００と同様の構成によって成るものであり、同符号を付して説明を省略する（図１参照）。
【０００６】
まず送信データＡのうちでデータＡ３１の送信中（図中符号Ｌ３１に示す区間）にアンテナダイバーシティ制御が行われた際の送信波の波形について説明する。この場合通信装置３００はＰＤＦ方式に基づいて送信する（すなわち、受信と同時に送信する）。データＡ３１の送信中（図中符号Ｌ３１）にアンテナダイバーシティ制御が行われると、図中符号Ｗ３１ａに示すスイッチ制御信号Ｅの変化によりスイッチ１１２ａが動作してアンテナ１１１からアンテナ１１２へ受信用のアンテナが一旦切り替えられる。この後、図中符号Ｗ３２に示すように受信レベル信号Ｄが低下すると、図中符号Ｗ３１ｂに示すようにスイッチ制御信号Ｅは元の状態に戻り再びスイッチ１１２ａが動作して元のアンテナ１１１に戻る。このアンテナが切り替わった間、送信帯域通過フィルタ１２１とアンテナ１１１との間のインピーダンスに変化が生じるため、送信帯域通過フィルタ１２１で送信波の通過ロス（送信波Ｆの図中符号Ｗ３３に示す個所）が生じる。
【０００７】
更に送信データＡのうちデータＡ３２の送信中（図中符号Ｌ３２に示す区間）にアンテナダイバーシティ制御が行われた際の送信波の波形について説明する。この場合も通信装置３００はＰＤＦ方式に基づいて送信する（すなわち、受信と同時に送信する）。データＡ３２の送信中（図中符号Ｌ３２）にアンテナダイバーシティ制御が行われると、図中符号Ｗ３４に示すスイッチ制御信号Ｅの変化によりスイッチ１１２ａが動作してアンテナ１１１からアンテナ１１２へ受信用のアンテナが切り替えられる。この後、図中符号Ｗ３５に示すように受信レベル信号Ｄが向上するので、アンテナダイバーシティ制御に基づく所定時間の間、当該切り替え後のアンテナ１１２に切り替わったまま保持される。このアンテナ切替後、送信帯域通過フィルタ１２１とアンテナ１１１との間のインピーダンスに変化が生じるため、送信帯域通過フィルタ１２１で送信波の通過ロス（送信波Ｆの図中符号Ｗ３６に示す個所）が生じる。
【０００８】
本発明の課題は、送受信が同時に行える通信装置において、受信時のアンテナダイバーシティ制御によりアンテナが切り替わっても送信波の出力レベルが変動しないようにすることである。
【０００９】
【課題を解決するための手段】
上記課題を解決するため、本発明は、
通信用のアンテナを複数備え、受信時には受信感度に応じてアンテナの切り替えが可能であると共に送信波の送信が同時に行える通信装置において、
送信波の出力レベルを調整するための調整データを生成する調整データ生成部と、
前記送信波の出力レベルを前記調整データ生成部により生成された調整データに基いて調整するレベル調整部とを備え、
前記調整データ生成部は、
前記レベル調整部により調整される送信波の出力レベルの変化分が前記アンテナの切り替えによって生じる送信波の出力レベルの変化分を補填するような調整データを生成することを特徴とする。
【００１０】
更に、入力されたデータのうちで送信波に変調するデータ範囲を指定するためのデータ範囲指定信号を生成する信号生成部を備え、
前記調整データ生成部は、
前記データ範囲指定信号の出力レベルを所定分だけ変化させて前記調整データとし、
前記レベル調整部は、
送信波の出力レベルを、前記調整データ生成部により前記調整データとして生成された前記データ範囲指定信号の出力レベルの前記所定変化分に応じて調整するのが好ましい。
【００１１】
更に、前記レベル調整部は、前記データ範囲指定信号の出力レベルの変化分に応じて送信波の出力レベルを増幅する増幅器、又は前記データ範囲指定信号の出力レベルの変化分に応じて送信波の出力レベルを減衰する減衰器によって構成されるのが好ましい。
【００１２】
また、上記課題を解決するため、本発明は、
通信用のアンテナを複数備え、受信時には受信感度に応じてアンテナの切り替えが可能であると共に送信波の送信が同時に行える通信装置において、
入力された送信データの出力レベルを調整するレベル調整部を備え、
前記レベル調整部は、
前記送信波の出力レベルが前記アンテナの切り替えによって生じる送信波の出力レベルの変化分を補填するよう前記送信データの出力レベルを調整することを特徴とする。
【００１３】
また、上記課題を解決するため、本発明は、
通信用のアンテナを複数備え、受信時には受信感度に応じてアンテナの切り替えが可能であると共に送信波の送信が同時に行える通信装置において、
送信波の出力レベルを調整するための調整データを生成する調整データ生成部と、
前記送信波の出力レベルを前記調整データ生成部により生成された調整データに基いて調整する第１のレベル調整部と、
入力された送信データの出力レベルを調整する第２のレベル調整部とを備え、
前記調整データ生成部は、
前記第１のレベル調整部により調整された送信波の出力レベルが前記アンテナの切り替えによって生じる送信波の出力レベルの変化分を補填する調整データを生成し、
前記第２のレベル調整部は、
前記送信波の出力レベルが前記アンテナの切り替えによって生じる送信波の出力レベルの変化分を補填するよう前記送信データの出力レベルを調整することを特徴とする。
【００１４】
【発明の実施の形態】
以下、図を参照して本発明の実施の形態における通信装置１００について詳細に説明する。
【００１５】
まず図１を参照して通信装置１００の構成を説明する。
図１は、通信装置１００の主要構成を示すブロック図である。通信装置１００は、低速データ伝送に用いられるＴＤＭＡシングルモード方式と高速データ伝送に用いられるＦＤＰ方式とによる二つの通信方式に対応可能な通信装置である。このＦＤＰ方式では信号の送信及び受信が高速且つ同時に行える。また通信装置１００は、良質な受信信号を得るためＴＤＭＡ方式及びＦＤＰ方式の各通信方式に対応したアンテナダイバーシティ制御を行う。このアンテナダイバーシティ制御は、受信中であればＦＤＰ方式に基づいて送信波が送信される際においても行われる。
【００１６】
図１に示すように、通信装置１００は、アンテナ１１１、１１２、スイッチ１１２ａ、デュプレクサ１２、送信部１３１、受信部１３２、デジタル処理部１４、オーディオ部１５、マイク１５ａ、スピーカ１５ｂ及び表示部１６等を備えて構成される。更に、デュプレクサ１２は送信帯域通過フィルタ１２１及び受信帯域通過フィルタ１２２を備え、送信部１３１は送信波調整部１３１ａを備える。ここで、デジタル処理部１４は本発明の請求項に記載された信号生成部が有する機能を実現し、制御信号調整部１４ａは調整データ生成部が有する機能を実現し、送信波補正部１３１ａ又は１３１ｂは（第１の）レベル調整部が有する機能を実現する。
【００１７】
アンテナ１１１は、送信帯域通過フィルタ１２１に接続されているが、スイッチ１１２ａを介して受信帯域通過フィルタ１２２とも接続可能となっている。アンテナ１１２は、スイッチ１１２ａを介して受信帯域通過フィルタ１２２と接続可能となっている。すなわち、アンテナ１１１は、送受信共用のアンテナであり、アンテナ１１２は受信専用のアンテナである。スイッチ１１２ａは、デジタル処理部１４から入力されるスイッチ制御信号Ｅに基づいてスイッチ動作して、受信用のアンテナ（すなわち、受信帯域通過フィルタ１２２に接続するアンテナ）をアンテナ１１１とアンテナ１１２との間で切り替える。
【００１８】
デュプレクサ１２が備える送信帯域通過フィルタ１２１は、誘電体フィルタやＳＡＷフィルタ等により構成され、送信部１３１から入力される送信波Ｃが有する周波数帯域（すなわち、通信装置１００で対応可能な通信方式（例えばＰＤＣ（Ｐｅｒｓｏｎａｌ　Ｄｉｇｉｔａｌ　Ｃｅｌｌｕｌａｒ）方式）の送信波周波数帯域）の信号波のみを通過させ、他の周波数帯域の信号波を阻止及び抑制する。また、受信帯域通過フィルタ１２２は、表面弾性波フィルタ等により構成され、受信部１３２に入力する受信波が有する周波数帯域（すなわち、通信装置１００で対応可能な通信方式（例えばＰＤＣ方式）の受信波周波数帯域）の信号波のみを通過させ、他の周波数帯域の信号波を阻止及び抑制する。
【００１９】
送信部１３１は、デジタル処理部１４から入力された送信データＡに対し変調・増幅等の送信処理を行って送信波Ｃを生成し、当該送信波Ｃをデュプレクサ１２の送信帯域通過フィルタ１２１に入力する。この場合、送信部１３１は、デジタル処理部１４から入力された送信出力制御信号Ｂに基づいて、デジタル処理部１４から入力された送信データＡのうちで送信波として出力するデータ（例えば、図２に示す送信データＡのデータＡ１１、Ａ１２等）を抽出し、当該抽出されたデータに対する送信波を生成する。
【００２０】
送信部１３１は、図３（ａ）に示す電圧可変利得増幅器によって成る送信波調整部１３１ａを備え、送信出力制御信号Ｂに基づいて送信波Ｃの出力レベルを調整する（以下、出力レベルの調整を波形を変形するという）。送信波調整部１３１ａは、図３（ａ）に示すように、トランジスタＴｒ１１、抵抗器Ｒ１１〜Ｒ１３、コンデンサＣ１１〜Ｃ１５、誘導コイルＩ１１及びＩ１２により構成された回路を有し、送信出力制御信号Ｂ（電圧Ｖ１）の値に応じてＩＮ側で入力された送信波を増幅して（すなわち送信波の波形を変形して）ＯＵＴ側へ出力する。ここで電圧Ｖ１と送信波調整部１３１ａの利得との相関を図３（ｂ）に示す。図３（ｂ）に示すように、電圧Ｖ１の増減に対し送信波調整部１３１ａの利得は略線形に応答する。すなわち、送信波調整部１３１ａは、ＩＮ側から入力された送信波をデジタル処理部１４から入力された送信出力制御信号Ｂ（電圧Ｖ１）に略相似した波形の送信波Ｃに変形してＯＵＴ側から出力する。
【００２１】
送信波調整部１３１ａは、従って、デジタル処理部１４から入力された送信出力制御信号Ｂ（電圧Ｖ１）に応じて、アンテナダイバーシティ制御によりアンテナが切り替わった際に生じる送信波Ｃの劣化分を補填するような波形に送信波Ｃを変形する。この場合、送信出力制御信号Ｂは当該劣化分の補填が可能な送信波Ｃの波形に略相似した波形を有する。
これにより、アンテナダイバーシティ制御でアンテナが切り替わっても送信波Ｃの劣化が回避できる（送信波Ｃの波形については図２を参照）。
【００２２】
なお、送信部１３１は、送信波調整部１３１ａの替わりに図４（ａ）に示す電圧可変減衰器によって成る送信波補正部１３１ｂを備える構成であっても良い。送信波補正部１３１ｂは、図４（ａ）に示すように、誘導コイルＩ２１、ダイオードＤ２１、コンデンサＣ２１〜Ｃ２３、抵抗器Ｒ２１及びＲ２２により構成された回路を有し、送信出力制御信号Ｂ（電圧Ｖ２）の値に応じてＩＮ側で入力された送信波の波形を変形してＯＵＴ側へ出力する。
【００２３】
受信部１３２は、デュプレクサ１２の受信帯域通過フィルタ１２２から入力される受信波からＩＦ信号を抽出してデジタル処理部１４に入力する。また受信部１３２は、受信帯域通過フィルタ１２２から入力される受信波の受信レベル（すなわち受信波の電解強度）を検出し、当該受信レベルを示すＲＳＳＩ（ＲｅｃｅｉｖｅｄＳｉｇｎａｌ　Ｓｔｒｅｎｇｔｈ　Ｉｎｄｉｃａｔｉｏｎ）信号（以下、受信レベル信号Ｄという）を生成してデジタル処理部１４に入力する。
【００２４】
デジタル処理部１４は、オーディオ部１５から入力されるアナログの送話音声信号をＤ／Ａ（Ｄｉｇｉｔａｌ／Ａｎａｌｏｇ）変換によってデジタルデータに変換すると共に、文書データ等のデジタルデータに対してはコード変換や誤り訂正等を行う。更にデジタル処理部１４は、これら送話音声や文書データ等のデジタルデータに対してＴＤＭＡシングルモード方式或いはＦＤＰ方式に基づく処理を行って送信データＡを生成し、当該送信データＡを送信部１３１に入力する。
【００２５】
デジタル処理部１４は、送信出力制御信号Ｂを送信部１３１に入力して当該送信データＡに対する送信波Ｃの生成を送信部１３１に指示する。
【００２６】
デジタル処理部１４は、制御信号調整部１４ａを備える。この制御信号調整部１４ａは、ＦＤＰ方式に基く送信処理中にアンテナダイバーシティ制御が行われた際、送信出力制御信号Ｂの波形を次に示す用途の為に変形する。すなわち制御信号調整部１４ａは、送信波調整部１３１ａが当該変形後の送信出力制御信号Ｂに基きアンテナ切替時に生じる送信波Ｃの劣化分が補填できる形に送信波Ｃの波形を変形するように送信出力制御信号Ｂの波形を変形する（送信出力制御信号Ｂの波形については図２を参照）。この場合、送信出力制御信号Ｂの波形を変形するための変形データは、デジタル処理部１４の図示しないメモリに予め格納されているものとする。デジタル処理部１４は、この変形データに基づいて送信出力制御信号Ｂの波形を変形する。
【００２７】
デジタル処理部１４は、受信部１３２から入力されたＩＦ信号をＤ／Ａ（Ｄｉｇｉｔａｌ／Ａｎａｌｏｇ）変換によってデジタルデータに変換した後、ＴＤＭＡシングルモード方式或いはＦＤＰ方式に基づく処理を行って受話音声信号やテキストメッセージ等を抽出する。更にデジタル処理部１４は、この受話音声信号をオーディオ部１５に入力すると共に、文書データ等のデジタルデータに対してはコード変換や誤り訂正等を行う。
【００２８】
デジタル処理部１４は、受信部１３２から入力された受信レベル信号Ｄに基づいてアンテナダイバーシティ制御を行う。すなわちデジタル処理部１４は、良好な受信波を得るため（すなわち受信レベル信号Ｄが大となるように）、受信レベル信号Ｄに基づいてスイッチ制御信号Ｅをスイッチ１１２ａに送信して受信用のアンテナをアンテナ１１１とアンテナ１１２との間で切り替える。
【００２９】
次に図２を参照して通信装置１００の動作を説明する。
図２は、通信装置１００においてアンテナダイバーシティ制御が行われた際の各種信号波の波形を示す波形図である。
【００３０】
まず送信データＡのうちデータＡ１１の送信中（図中符号Ｌ１１に示す区間）にアンテナダイバーシティ制御が行われた際の送信波の波形について説明する。この場合通信装置１００はＰＤＦ方式に基づいて送信を行う（すなわち、受信と同時に送信する）。
【００３１】
デジタル処理部１４は、データＡ１１の送信中にアンテナダイバーシティ制御を行うと、スイッチ制御信号Ｅを図中符号Ｗ１１ａに示すように変化させてスイッチ１１２ａを動作させる。スイッチ１１２ａは、このスイッチ制御信号Ｅに応じて受信用のアンテナを例えばアンテナ１１１からアンテナ１１２へ切り替える。
【００３２】
この後、図中符号Ｗ１２に示すように受信レベル信号Ｄが低下すると、デジタル処理部１４は、スイッチ制御信号Ｅを図中符号Ｗ１１ｂに示すように変化させてスイッチ１１２ａを動作させ、アンテナを元のアンテナ１１１に戻す。
【００３３】
受信用のアンテナがアンテナ１１１からアンテナ１１２に切り替わったことにより送信帯域通過フィルタ１２１とアンテナ１１１との間のインピーダンスに変化が生じ、このため、送信帯域通過フィルタ１２１で送信波の通過ロスが生じる。この場合、デジタル処理部１４が備える制御信号調整部１４ａは、スイッチ制御信号Ｅの図中符号Ｗ１１ａとＷ１１ｂとほぼ同じタイミングで送信出力制御信号Ｂの波形を図中符号Ｗ１３ａとＷ１３ｂとに示す凸形状分だけ変形し、送信波調整部１３１ａは、この凸形状分だけ変形された送信出力制御信号Ｂに基き当該アンテナ切替時に生じる送信波Ｃの劣化分が補填できるように送信波Ｃの波形を図中符号Ｗ１４ａとＷ１４ｂとに示す凸形状分だけ変形する。
【００３４】
送信波Ｃは、図中符号Ｗ１４ａ及びＷ１４ｂとに示す凸形状分だけ変形されたので、当該凸形状分によりアンテナ切替時に生じる送信波Ｃの通過ロスが補填され、その結果、劣化のない送信波Ｆが得られる。
【００３５】
次いで送信データＡのうちデータＡ１２の送信中（図中符号Ｌ１２に示す区間）にアンテナダイバーシティ制御が行われた際の送信波の波形について説明する。この場合も通信装置１００はＰＤＦ方式に基づいて送信を行う。
【００３６】
デジタル処理部１４は、データＡ１２の送信中にアンテナダイバーシティ制御を行うと、スイッチ制御信号Ｅを図中符号Ｗ１５に示すように変化させてスイッチ１１２ａを動作させる。スイッチ１１２ａは、このスイッチ制御信号Ｅに応じて受信用のアンテナをアンテナ１１１からアンテナ１１２へ切り替える。
【００３７】
この後、図中符号Ｗ１６に示すように受信レベル信号Ｄが向上するので、デジタル処理部１４は、アンテナダイバーシティ制御に基づく所定時間の間、当該切り替え後のアンテナ１１２に切り替えたまま保持する。
【００３８】
受信用のアンテナがアンテナ１１１からアンテナ１１２に切り替わったことにより送信帯域通過フィルタ１２１とアンテナ１１１との間のインピーダンスに変化が生じ、このため、送信帯域通過フィルタ１２１で送信波の通過ロスが生じる。この場合、デジタル処理部１４が備える制御信号調整部１４ａは、スイッチ制御信号Ｅの図中符号Ｗ１５とほぼ同じタイミングで送信出力制御信号Ｂの波形を図中符号Ｗ１７に示す分だけ増加させて変形し、送信波調整部１３１ａは、この変形後の送信出力制御信号Ｂに基き当該アンテナ切替時に生じる送信波Ｃの劣化分が補填できるように送信波Ｃの波形を図中符号Ｗ１８で示す分だけ変形する。
【００３９】
送信波Ｃは、図中符号Ｗ１８に示すように変形されたので、当該変形分によりアンテナ切替時に生じる送信波Ｃの通過ロスが補填され、その結果、劣化のない送信波Ｆが得らる。
【００４０】
以上説明したように、本実施の形態の通信装置１００は、送信部１３１に送信波調整部１３１ａを備え、デジタル処理部１４に制御信号調整部１４ａを備える。アンテナダイバーシティ制御に基づいて受信用のアンテナが切り替わる際に送信帯域通過フィルタ１２１で通過ロスが生じて送信波Ｃが劣化するが、制御信号調整部１４ａは送信出力制御信号Ｂの波形を変形し、送信波調整部１３１ａは当該変形後の送信出力制御信号Ｂに基いて当該アンテナの切替時に生じる送信波Ｃの劣化分を補填できるように上記変形された送信出力制御信号Ｂに基づいて当該劣化分を送信波Ｃに予め加えておく。
【００４１】
従って、アンテナダイバーシティ制御により受信用のアンテナが切り替えれらても送信波に劣化が生じるのを回避できる。
【００４２】
なお、本実施の形態における記述は、本発明に係る通信装置の一例を示すものであり、これに限定されるものではない。本実施の形態の通信装置１００の細部構成及び詳細動作に関しては、本発明の趣旨を逸脱しない範囲で適宜変更可能である。
【００４３】
例えば、アンテナが切り替えられた際に生じる送信波Ｃの劣化分を補填するために、送信出力制御信号Ｂを変形するのではなく送信データＡ自体を予め変形するようにしても良い。更に、アンテナ１１１及びアンテナ１１２以外にも外部アンテナを着脱自在に設けるような構成であっても良い。このような機能を有する通信装置２００を図５に示す。図５は、この通信装置２００の主要構成を示すブロック図である。
【００４４】
なお、図５に示す送信部２３１、デジタル処理部２４、スイッチ１１１ａ及びスイッチ１１２ｂを除く通信装置２００の他の構成は、本実施の形態の通信装置１００と同様の構成によって成るものであり、同符号を付して説明を省略する（図１参照）。ここで、送信データ調整部２４ａは本発明の請求項に記載された（第２の）レベル調整部が有する機能を実現する。
【００４５】
スイッチ１１１ａは、デジタル処理部２４によるアンテナダイバーシティ制御によりアンテナ１１１と外部アンテナ端子Ｇ１とを切り替えるためのスイッチである。またスイッチ１１２ｂは、デジタル処理部２４によるアンテナダイバーシティ制御により、アンテナ１１１と、外部アンテナ端子Ｇ１と、アンテナ１１２と、外部アンテナ端子Ｇ２とを切り替えるためのスイッチである。
このように外部アンテナが接続可能となればアンテナダイバーシティ制御により切り替えられるアンテナの選択肢が拡大されるので受信感度の向上が図られる。
【００４６】
デジタル処理部２４は、送信データＡを変形するための送信データ調整部２４ａを備える。送信データ調整部２４ａは、ＦＤＰ方式に基く送信処理中にアンテナダイバーシティ制御が行われた際、送信データＡを変形して当該アンテナの切替時に生じる送信波Ｃの劣化分を補填できるようにしておく（後に詳述するが、この送信データＡの波形については図６を参照）。
【００４７】
ここで図６を参照して通信装置２００の動作を説明する。図６は、通信装置２００においてアンテナダイバーシティ制御が行われた際の各種信号の波形を示す波形図である。
【００４８】
まず送信データＡのうちデータＡ２１の送信中（図中符号Ｌ２１に示す区間）にアンテナダイバーシティ制御が行われた際の送信波の波形について説明する。この場合通信装置２００はＰＤＦ方式に基いて送信を行う。
【００４９】
デジタル処理部２４は、データＡ２１の送信中にアンテナダイバーシティ制御を行うと、スイッチ制御信号Ｅを図中符号Ｗ２１ａに示すように変化させてスイッチ１１１ａ及び１１２ｂを動作させる。スイッチ１１１ａ及び１１２ｂは、このスイッチ制御信号Ｅに応じて受信用のアンテナを切り替える。
【００５０】
当該アンテナ切替により、図中符号Ｗ２２に示すように受信レベル信号Ｄが低下すると、デジタル処理部２４は、スイッチ制御信号Ｅを図中符号Ｗ２１ｂに示すように変化させてスイッチ１１１ａ及び１１２ｂを動作させ、アンテナを元のアンテナに戻す。
【００５１】
上記したように受信用のアンテナが切り替えられると、送信帯域通過フィルタ１２１と送信用のアンテナ（アンテナ１１１或いは外部アンテナ端子Ｇ１に接続された図示しない外部アンテナ）との間のインピーダンスに変化が生じ、このため、送信帯域通過フィルタ１２１で送信波の通過ロスが生じる。この場合、デジタル処理部２４が備える送信データ調整部２４ａは、スイッチ制御信号Ｅの図中符号Ｗ２１ａとＷ２１ｂとほぼ同じタイミングで送信データＡの波形を図中符号Ｗ２３ａとＷ２３ｂとに示す凸形状分だけ変形して、当該アンテナ切替時に生じる送信波Ｃの劣化分を補填できるようにする。
【００５２】
送信部２３１から出力される送信波Ｃは、図中符号Ｗ２４ａとＷ２４ｂとに示す凸形状分だけ変形されるので、当該凸形状分によりアンテナ切替時に生じる送信波Ｃの通過ロスが補填され、その結果、劣化のない送信波Ｆが得られる。
【００５３】
次いで送信データＡのうちデータＡ２２の送信中（図中符号Ｌ２２に示す区間）にアンテナダイバーシティ制御が行われた際の送信波の波形について説明する。この場合も通信装置２００はＰＤＦ方式に基いて送信を行う。
【００５４】
デジタル処理部２４は、データＡ２２の送信中にアンテナダイバーシティ制御を行うと、スイッチ制御信号Ｅを図中符号Ｗ２５に示すように変化させてスイッチ１１１ａ及び１１２ｂを動作させる。スイッチ１１１ａ及び１１２ｂは、このスイッチ制御信号Ｅに応じて受信用のアンテナを切り替える。
【００５５】
当該アンテナ切替により、図中符号Ｗ２６に示すように受信レベル信号Ｄが向上するので、デジタル処理部２４は、アンテナダイバーシティ制御に基づく所定時間の間、当該切り替え後のアンテナに切り替えたまま保持する。
【００５６】
上記したように受信用のアンテナが切り替えられると、送信帯域通過フィルタ１２１と送信用のアンテナ（アンテナ１１１或いは外部アンテナ端子Ｇ１に接続された図示しない外部アンテナ）との間のインピーダンスに変化が生じ、このため、送信帯域通過フィルタ１２１で送信波の通過ロスが生じる。この場合、デジタル処理部２４が備える送信データ調整部２４ａは、スイッチ制御信号Ｅの図中符号Ｗ２５とほぼ同じタイミングで送信データＡの波形を図中符号Ｗ２７に示す分だけ増加させて変形し、当該アンテナ切替時に生じる送信波Ｃの劣化分を補填できるようにする。
【００５７】
送信部２３１から出力される送信波Ｃは、図中符号Ｗ２８に示す分だけ変形されるので、当該変形分によりアンテナ切替時に生じる送信波Ｃの通過ロスが補填され、その結果、劣化のない送信波Ｆが得られる。
【００５８】
従って通信装置２００によれば、送信部１３１の送信波調整部１３１ａで送信波Ｃを変形するのではなく、デジタル処理部２４の送信データ調整部２４ａで送信データＡ自体を予め変形する。この為、送信データ調整部２４ａで送信データＡを変形すること以外、図７に示す従来の通信装置３００と同一処理により送信波Ｃの劣化分が補填可能となり、通信装置２００の構成がより簡略化されたものとなる。
【００５９】
なお、本発明の技術思想は、上記した通信装置１００及び２００が有する機能を合わせもつ構成を有する通信装置（図示略）に対しても適用可能である。すなわち、このような通信装置は、デジタル処理部１４に制御信号調整部１４ａと送信データ調整部２４ａとを備えると共に、送信部１３１に送信波補正部１３１ａ或いは１３１ｂを備え、従って、送信出力制御信号Ｂの出力レベルを調整して送信波Ｃの波形を変形する機能（以下、機能１という）と、送信データＡ自体の出力レベルを調整して送信波Ｃの波形を変形する機能（以下、機能２という）とを合わせ持つ。この場合、例えば、一方の機能１により送信波Ｃの波形を変形しても、この機能１だけでは送信波Ｃの劣化分を完全に補填し切れない場合が生じても、他の機能２を用いて補うことが可能となる。すなわち、当該両方の機能１、２を同時に併用することにより、より完全に送信波Ｃの劣化分の補填が可能となる。
【００６０】
【発明の効果】
本発明によれば、送受信が同時に行える通信装置において、受信時のアンテナダイバーシティ制御によりアンテナが切り替わっても送信波の出力レベルが変動しないようにできる。
【図面の簡単な説明】
【図１】本発明を適用した一実施の形態の通信装置の主要構成を示すブロック図である。
【図２】本発明を適用した一実施の形態の通信装置においてアンテナダイバーシティ制御が行われた際の各種信号波の波形を示す波形図である。
【図３】（ａ）は、図１に示す送信波補正部の一例としての電圧可変利得増幅器の構成を示すブロック図であり、（ｂ）は、この電圧可変利得増幅器の特性を示すグラフである。
【図４】（ａ）は、図１に示す送信波補正部の他の例としての電圧可変減衰器の構成を示すブロック図であり、（ｂ）は、この電圧可変減衰器の特性を示すグラフである。
【図５】本発明を適用した他の実施の形態の通信装置の主要構成を示すブロック図である。
【図６】本発明を適用した他の実施の形態の通信装置においてアンテナダイバーシティ制御が行われた際の各種信号波の波形を示す波形図である。
【図７】従来の通信装置の主要構成を示すブロック図である。
【図８】図７に示す通信装置においてアンテナダイバーシティ制御が行われた際の各種信号波の波形を示す波形図である。
【符号の説明】
１００　通信装置
１１１、１１２　アンテナ
１１２ａ　スイッチ
１２　デュプレクサ
１２１　送信帯域通過フィルタ
１２２　受信帯域通過フィルタ
１３１　送信部
１３１ａ　送信波調整部
１３２　受信部
１４　デジタル処理部
１４ａ　制御信号調整部
１５　オーディオ部
１５ａ　マイク
１５ｂ　スピーカ
１６　表示部
２００　通信装置
１１１ａ　スイッチ
１１２ｂ　スイッチ
２３１　送信部
２４　デジタル処理部
２４ａ　送信データ調整部
Ｇ１、Ｇ２　外部アンテナ端子
【図１】
2004040553.tif 000003
【図２】
2004040553.tif 000004
【図３】
2004040553.tif 000005
【図４】
2004040553.tif 000006
【図５】
2004040553.tif 000007
【図６】
2004040553.tif 000008
【図７】
2004040553.tif 000009
【図８】
2004040553.tif 000010